(57)【要約】【課題】  解決しようとする課題は、ＰＬＬ回路において周期的及びバースト的に生じるアンロックの検出を正確に行い、また、周囲温度の変化にも柔軟に対応することができるディジタル信号回路の中核となるクロック系及び無線部の搬送周波数の基準となる周波数の異常を正確に判断することを可能にすることである。【解決手段】  ＰＬＬ回路におけるアンロック検出方法であって、予め定められた周期でサンプリングし、アンロックであればカウンタでカウントアップし、予め定められた周期回数でカウントアップした値と予め定められたしきい値を制御部で比較し、カウントアップした値が予め定められたしきい値を超えている場合にアラーム信号を出力すること実現した。【選択図】図１
2008104012.tif 000002
【特許請求の範囲】
【請求項１】
ＰＬＬ（Ｐｈａｓｅ  Ｌｏｃｋｅｄ  Ｌｏｏｐ）回路におけるアンロック信号検出方法であって、予め定められた周期でサンプリングし、アンロックであればカウンタでカウントアップし、予め定められた周期回数でカウントアップした値と予め定められたしきい値を制御部で比較し、カウントアップした値が予め定められたしきい値を超えている場合にアラーム信号を出力することを特徴とするアンロック信号検出方法。
【請求項２】
ＰＬＬ（Ｐｈａｓｅ  Ｌｏｃｋｅｄ  Ｌｏｏｐ）回路におけるアンロック信号検出方法であって、予め定められた周期でサンプリングし、アンロックであればカウンタでカウントアップし、予め定められた周期回数でカウントアップした値と予め定められたしきい値を制御部で比較し、カウントアップした値が予め定められたしきい値を超えている場合に制御部によりＰＬＬを再設定し、ＰＬＬを再設定した後に、再度、予め定められた周期でサンプリングし、アンロックであればカウンタでカウントアップし、予め定められた周期回数でカウントアップした値と予め定められたしきい値を制御部で比較し、カウントアップした値が予め定められたしきい値を超えている場合にアラーム信号を出力することを特徴とするアンロック信号検出方法。
【請求項３】
請求項１乃至２記載のアンロック信号検出方法であって、温度センサによって周囲温度を判断し、当該周囲温度に応じて予め定められたしきい値を変更することを特徴とするアンロック信号検出方法。
【発明の詳細な説明】
【技術分野】
【０００１】
本発明は、符号分割多元接続（ＣＤＭＡ）技術を用いた無線基地局装置（ＢＴＳ）等の無線装置などで使用される基準発信周波数など、装置使用上で必要な周波数を生成するＰＬＬ（Ｐｈａｓｅ  Ｌｏｃｋｅｄ  Ｌｏｏｐ）回路において、アンロック信号を検出する方法に関する。
【背景技術】
【０００２】
従来、アンロック信号を検出する方法として、アンロック状態が生じても、任意の区間でロック状態が生じるとロック状態であると判断していた。従来の方式の一例として、図６に回路構成実施例を示す。従来では、アンロック信号をチャタリング除去回路６０１によって、非同期信号であるアンロック信号を取り込み、タイミング生成部６０２によって生成されるタイミングを基に、アンロック判定回路６０３によって、予め定められた周期内でロック状態が検出されない場合に、制御部６０４によってアンロック状態と判定し、アンロック状態であることを報告する方式が一般的に用いられている。このような方式を用いた場合、図７に示すように、アンロックとなる場合は、検出時間Ｔ内に、アンロック検出が連続して３回起きた場合、アンロックを検出した直後にロックを検出すると、アンロック判定回路は、ロックを優先的にするため、制御部ではロックとしての検出しかできず、非周期なバースト的アンロック信号を正確に検出することが出来ない。このような場合に、サンプリングのタイミングを高速化することが考えられるが、有用とはいえない。
【０００３】
また、ＰＬＬ内部のロック検出回路は、ディジタル信号の論理で構成されていることが多く、周囲温度などによって、内部の突合せ周波数が揺らぎ、アンロックを容易に検出してしまう状況になる可能性もある。いかにサンプリング周波数を高速化したとしても、デバイス自体でのロック検出を誤検出しては、外部アンロック検出回路も誤検出する。
【発明の開示】
【発明が解決しようとする課題】
【０００４】
解決しようとする課題は、ＰＬＬ回路において周期的及びバースト的に生じるアンロックの検出を正確に行い、また、周囲温度の変化にも柔軟に対応することができるディジタル信号回路の中核となるクロック系及び無線部の搬送周波数の基準となる周波数の異常を正確に判断することを可能にすることである。
【課題を解決するための手段】
【０００５】
本発明は、上記課題を鑑みて為されたものであり、ＰＬＬ回路におけるアンロック信号検出方法であって、予め定められた周期でサンプリングし、アンロックであればカウンタでカウントアップし、予め定められた周期回数でカウントアップした値と予め定められたしきい値を制御部で比較し、カウントアップした値が予め定められたしきい値を超えている場合にアラーム信号を出力することを特徴とする。
【０００６】
また、本発明は、ＰＬＬ回路におけるアンロック信号検出方法であって、予め定められた周期でサンプリングし、アンロックであればカウンタでカウントアップし、予め定められた周期回数でカウントアップした値と予め定められたしきい値を制御部で比較し、カウントアップした値が予め定められたしきい値を超えている場合に制御部によりＰＬＬを再設定し、ＰＬＬを再設定した後に、再度、予め定められた周期でサンプリングし、アンロックであればカウンタでカウントアップし、予め定められた周期回数でカウントアップした値と予め定められたしきい値を制御部で比較し、カウントアップした値が予め定められたしきい値を超えている場合にアラーム信号を出力することを特徴とする。
【０００７】
また、本発明は、上記記載のアンロック信号検出方法であって、温度センサによって周囲温度を判断し、当該周囲温度に応じて予め定められたしきい値を変更することを特徴とする。
【発明の効果】
【０００８】
本発明によれば、ＰＬＬ回路において周期的及びバースト的に生じるアンロックの検出を正確に行い、また、周囲温度の変化にも柔軟に対応することができるディジタル信号回路の中核となるクロック系及び無線部の搬送周波数の基準となる周波数の異常を正確に判断することを実現できる。
【発明を実施するための最良の形態】
【０００９】
ＰＬＬ回路におけるアンロック検出方法であって、予め定められた周期でサンプリングし、アンロックであればカウンタでカウントアップし、予め定められた周期回数でカウントアップした値と予め定められたしきい値を制御部で比較し、カウントアップした値が予め定められたしきい値を超えている場合にアラーム信号を出力すること実現した。
【実施例１】
【００１０】
以下に本発明の実施の形態について図を用いて一実施例を説明する。
図１は、本発明の第１の実施形態における回路構成の一実施例であり、図２は、本発明の実施形態における動作概要図の一実施例である。
アンロック信号に対してチャタリングを除去するチャタリング除去回路１０２によって非同期信号であるアンロック信号を取り込み、タイミング生成部１０１によって生成されるタイミングをもとに、アンロック信号がアンロックの場合にカウンタ部１０３にてカウントアップする。なお、カウンタ部のカウント動作の一例は図２のとおりである。このカウントアップした値と予め定められたしきい値を比較器１０４で比較し、しきい値を上回っている場合には、制御部１０５がアラームとして判断して、アラーム報告を出力する。
【００１１】
なお、図５に示すように、アンロック信号がバースト的に、しかもロック信号の変化がサンプリング周期と一致した場合、アンロック信号はタイミング的に全く検出することが出来なくなる。このことを回避する為に、クロック系については、ＰＬＬと監視系を非同期にする必要がある。
【実施例２】
【００１２】
以下に本発明の実施の形態について図を用いて一実施例を説明する。
図３は、本発明の第２の実施形態における回路構成の一実施例である。
アンロック信号に対してチャタリングを除去するチャタリング除去回路３０２によって非同期信号であるアンロック信号を取り込み、タイミング生成部３０１によって生成されるタイミングをもとに、アンロック信号がアンロックの場合にカウンタ部３０３にてカウントアップする。なお、カウンタ部のカウント動作の一例は上記実施例の図２と同様である。このカウントアップした値と予め定められたしきい値を比較器３０４で比較し、しきい値を上回っている場合には、制御部３０５がＰＬＬ制御部３０６を制御し、ＰＬＬを再設定する。その後、再度同様にアンロック信号に対してチャタリングを除去するチャタリング除去回路３０２によって非同期信号であるアンロック信号を取り込み、タイミング生成部３０１によって生成されるタイミングをもとに、アンロック信号がアンロックの場合にカウンタ部３０３にてカウントアップし、このカウントアップした値と予め定められたしきい値を比較器３０４で比較し、しきい値を上回っている場合には、制御部３０５がアラームとして判断して、アラーム報告を出力する。
【００１３】
なお、上記実施例同様に、アンロック信号がバースト的に、しかもロック信号の変化がサンプリング周期と一致した場合、アンロック信号はタイミング的に全く検出することが出来なくなる。このことを回避する為に、クロック系については、ＰＬＬと監視系を非同期にする必要がある。
【実施例３】
【００１４】
以下に本発明の実施の形態について図を用いて一実施例を説明する。
図４は、本発明の第３の実施形態における回路構成の一実施例である。
アンロック信号に対してチャタリングを除去するチャタリング除去回路４０２によって非同期信号であるアンロック信号を取り込み、タイミング生成部４０１によって生成されるタイミングをもとに、アンロック信号がアンロックの場合にカウンタ部４０３にてカウントアップする。なお、カウンタ部のカウント動作の一例は上記実施例の図２と同様である。このカウントアップした値と予め定められたしきい値を比較器４０４で比較し、しきい値を上回っている場合には、制御部４０５がＰＬＬ制御部４０６を制御し、ＰＬＬを再設定する。その後、再度同様にアンロック信号に対してチャタリングを除去するチャタリング除去回路４０２によって非同期信号であるアンロック信号を取り込み、タイミング生成部４０１によって生成されるタイミングをもとに、アンロック信号がアンロックの場合にカウンタ部４０３にてカウントアップし、このカウントアップした値と予め定められたしきい値を比較器４０４で比較し、しきい値を上回っている場合には、制御部４０５がアラームとして判断して、アラーム報告を出力する。ここまでは、上記の実施例と同様であるが、本実施例では更に、アラーム報告を出力する前又は後に、温度センサ４０７により監視した周囲温度を基に、制御部４０５がその周囲温度によってしきい値を変動させ、最適なしきい値へ変更することを可能としたものである。
【００１５】
なお、上記実施例同様に、アンロック信号がバースト的に、しかもロック信号の変化がサンプリング周期と一致した場合、アンロック信号はタイミング的に全く検出することが出来なくなる。このことを回避する為に、クロック系については、ＰＬＬと監視系を非同期にする必要がある。
【００１６】
上記に説明した各実施例は、ディジタル信号回路の中核となるクロック系及び無線部の搬送周波数の基準となる周波数や、符号分割多元接続（ＣＤＭＡ）技術を用いた無線基地局装置（ＢＴＳ）等の無線装置などで使用される基準発信周波数など、装置使用上で必要な周波数を生成するＰＬＬ（Ｐｈａｓｅ  Ｌｏｃｋｅｄ  Ｌｏｏｐ）回路において、例えば無線送信増幅器の送信部や送信用増幅部や受信部などさまざまな部分に適応されることが可能なことはいうまでもない。
【図面の簡単な説明】
【００１７】
【図１】本発明の第１の実施形態における回路構成の一実施例
【図２】本発明の実施形態における動作概要図の一実施例
【図３】本発明の第２の実施形態における回路構成の一実施例
【図４】本発明の第３の実施形態における回路構成の一実施例
【図５】本発明の実施形態における回避すべき事項の動作概要図の一実施例
【図６】従来技術における回路構成の一実施例
【図７】従来技術における動作概要図の一実施例
【符号の説明】
【００１８】
１０１・３０１・４０１・６０２…タイミング生成部、１０２・３０２・４０２・６０１…チャタリング除去回路、１０３・３０３・４０３…カウンタ部、１０４・３０４・４０４…比較器、１０５・３０５・４０５・６０４…制御部、３０６・４０６…ＰＬＬ制御部、４０７…温度センサ、６０３…アンロック判定回路
【図１】
2008104012.tif 000003
【図２】
2008104012.tif 000004
【図３】
2008104012.tif 000005
【図４】
2008104012.tif 000006
【図５】
2008104012.tif 000007
【図６】
2008104012.tif 000008
【図７】
2008104012.tif 000009